(57)【要約】【課題】引出トレイの引き出し距離に必要な光ファイバの余長分を保護部材により保護する必要のない引き出しユニットを提供する。【解決手段】ケース本体２に引き出し自在とした引出トレイ１の底板部１１の側部に後端縁に続く切欠部１２を形成し、また、該切欠部１２が臨むケース本体２の底板部２１の先端側に光ファイバの本体側ガイド部材２２を設けるとともに、前記引出トレイ１の底板部１１の後部側に光ファイバのトレイ側ガイド部材１３を設けて、両ガイド部材２２、１３間に光ファイバを配線して引出トレイ１の引き出し距離に必要な光ファイバの余長分を含ませる。【選択図】    図１
2004165491.tif 000002
【特許請求の範囲】
【請求項１】
ケース本体に引き出し自在とした引出トレイの底板部の側部に後端縁に続く切欠部を形成し、また、該切欠部が臨むケース本体の底板部の先端側に光ファイバの本体側ガイド部材を設けるとともに、前記引出トレイの底板部の後部側に光ファイバのトレイ側ガイド部材を設けて、両ガイド部材間に光ファイバを配線して引出トレイの引き出し距離に必要な光ファイバの余長分を含ませたことを特徴とする引き出しユニット。
【発明の詳細な説明】
【０００１】
【発明の属する技術分野】
本発明は、ケース本体に引き出し自在とした引出トレイに光ファイバを引き込んだ引き出しユニットに関するものである。
【０００２】
【従来の技術】
ケース本体に引き出し自在とした引出トレイに光ファイバを引き込んだ引き出しユニットは、引出トレイの引き出し距離に対応できるようにするため光ファイバの余長をとる必要がある。そこで、この光ファイバの余長分が引出トレイの出し入れの際に余分なテンションが係り断線を防止するため余長を長めにとり蛇腹状の保護部材により保護していた。（例えば、特許文献１参照）
【０００３】
【特許文献１】特開２０００−２３２２７３号公報
【０００４】
【発明が解決しようとする課題】
ところが、前記特許文献１に示すものは、保護部材を収納するスペースをユニット内に確保する必要があるためユニットが大型化する問題があるばかりでなく保護部材により製造コストが高くなるという問題もある。
【０００５】
【課題を解決するための手段】
前記の課題を解決するためになされた本発明の引き出しユニットは、ケース本体に引き出し自在とした引出トレイの底板部の側部に後端縁に続く切欠部を形成し、また、該切欠部が臨むケース本体の底板部の先端側に光ファイバの本体側ガイド部材を設けるとともに、前記引出トレイの底板部の後部側に光ファイバのトレイ側ガイド部材を設けて、両ガイド部材間に光ファイバを配線して引出トレイの引き出し距離に必要な光ファイバの余長分を含ませたことを特徴とするものである。
【０００６】
本発明の引き出しユニットは、ケース本体に引き出し自在とした引出トレイの底板部の側部に後端縁に続けて形成した切欠部が臨むケース本体の底板部の先端側に光ファイバの本体側ガイド部材を設けるとともに、引出トレイの後部側に光ファイバのトレイ側ガイド部材を設けて、両ガイド部材間に光ファイバを配線して引出トレイの引き出し距離に必要な光ファイバの余長分を含ませたものであるから、引出トレイを引き出した場合には両ガイド部材間の光ファイバは本体側ガイド部材を支点として可動するトレイ側ガイド部材に従い前側に対称となるように移動するので引出トレイの引き出しが的確に行うことができるものである。
【０００７】
【発明の実施の形態】
次に、本発明の実施の形態を図により説明する。
１はケース本体２に引き出し自在に収納した引出トレイである。この引出トレイ１の底板部１１の側方部には後端縁に続く切欠部１２が前端側に亘り設けられている。また、引出トレイ１がケース本体２に収納時にケース本体２の底板部２１の切欠部１２が臨む箇所の前方に光ファイバの本体側ガイド部材２２が設けられており、また、引出トレイ１の底板部１１の後部側に光ファイバのトレイ側ガイド部材１３が設けられている。そして、両ガイド部材２２、１３間にケース本体２を介して外部配線を行う光ファイバをトレイ本体１の奥行方向に斜めに配線して引出トレイ１の引き出し距離に必要な光ファイバの余長分を含ませている。
【０００８】
すなわち、引出トレイ１がケース本体２に収納時にトレイ側ガイド部１３が本体側ガイド部２２の斜め後方に位置しているので、引出トレイ１を引き出した場合には両ガイド部材１３，２２間に配線した光ファイバは弛みながら本体側ガイド部材２２を支点に引出トレイ１の引き出しに応じて前方に移動するトレイガイド部材１３に伴い前方斜めに移動するから、引出トレイ１の引き出し距離に必要な光ファイバの余長分がこの両ガイド部材１３，２２間に配線した光ファイバに含まれていることとなる。また、トレイ側ガイド部１３は引出トレイ１の引き出し時にケース本体２から露出して配線作業が容易な位置に設けることが好ましい。
【０００９】
なお、前記トレイ側ガイド部材１３は図示のものは切欠部１２に隣接して設置した光ファイバコードリール４を構成する図３に示す扇形底板部４１の内外側に立設した内壁４２と外壁４３に主ガイド部４４を形成するとともに外壁４３の両側外側に鉤型の副ガイド部４５を形成したガイド部材４０のうち底板部１１の後方に配置したものの副ガイド部４５を利用しているが別異の箇所に同様のガイド部材４０或いは別ガイド部材を取り付けてもよい。また、本体側ガイド部材２２も同様に光ファイバコードリール４を構成するガイド部材４０の主ガイド部４４を利用しているがこれも別ガイド部材を使用してもよいものであり、両ガイド部材２２、１３は光ファイバが機能を損じない曲率半径以下に湾曲して配線しないものであればよいものであり特に限定されないものである。また、切欠部１１が臨むケース本体１の底面板２１の後方及びケース本体１の後端部には光ファイバを引き込むためのガイド部材２３が配設されている。
【００１０】
このように構成されたものは、ケース本体２に引き出し自在とした引出トレイ１の底板部１１の側方部に後端縁に続く切欠部１２を形成して、該切欠部１２が臨むケース本体２の底板部２１の先端側に光ファイバの本体側ガイド部材２２を設けたものであるから、引出トレイ１は本体ガイド部材２２に干渉されることなくケース本体２に出し入れできるものである。
【００１１】
そして、引出トレイ１の底板部１１の後部側に光ファイバのトレイ側ガイド部材１３を設けて、前記本体側ガイド部材２２との間に光ファイバを配線して引出トレイ１の引き出し距離に必要な光ファイバの余長分を含ませている。すなわち、引出トレイ１がケース本体２に収納時にトレイ側ガイド部１３が本体側ガイド部２２の斜め後方に位置しているので、引出トレイ１を引き出した場合には両ガイド部材１３，２２間に配線した光ファイバは弛みながら本体側ガイド部材２２を支点に引出トレイ１の引き出しに応じて前方に移動するトレイガイド部材１３に伴い前方斜めに収納時と対称位置に移動するから、光ファイバに破断を引き起こすようなテンションが加わることがないものである。
【００１２】
また、引出トレイ１の引き出し距離に必要な光ファイバの余長分が、引出トレイ１の底板部１１の後部側に設けたトレイ側ガイド部材１３と本体側ガイド部材２２との間に配線した光ファイバに含ませたものであるから、光ファイバの余長分のためのスペースをケース本体２の奥行方向にとる必要がないので、奥行の浅いラックへの搭載を可能としたものである。
【００１３】
【発明の効果】
以上に説明したように、本発明の引き出しユニットは、引出トレイの引き出し距離に必要な光ファイバの余長分が、引出トレイの底板部の後部側に設けたトレイ側ガイド部材と本体側ガイド部材との間に配線した光ファイバに含ませたものであるから、余長分の光ファイバを防護するための蛇腹状の保護部材が不要で光ファイバの配線作業が容易であるうえ、ユニットの奥行方向のサイズを小さくすることができるものである。
【図面の簡単な説明】
【図１】本発明の実施形態を引出トレイを収納した状態で示す平面図である。
【図２】本発明の実施形態を引出トレイを引き出した状態で示す平面図である。
【図３】本発明の実施形態に使用するトレイ側ガイド部材と本体側ガイド部材を示す斜視図である。
【符号の説明】
１  引出トレイ
１１  底板部
１２  切欠部
１３トレイ側ガイド部材
２  ケース本体
２１  底板部
２２  本体側ガイド部材
【図１】
2004165491.tif 000003
【図２】
2004165491.tif 000004
【図３】
2004165491.tif 000005